(57)【特許請求の範囲】
【請求項１】
ウェイクアップ信号の受信時に端末がウェイクアップした後、タイムウィンドウで不連続受信（ＤＲＸ）または拡張不連続受信（ｅＤＲＸ）スキームを使用してチャネルをモニタリングするステップと、
端末が前記タイムウィンドウで情報を受信したときに前記情報を処理するステップと、
前記端末が前記タイムウィンドウで情報を受信しないときに、チャネルのモニタリングを停止し、ウェイクアップ信号のモニタリングを続けるステップと、を備え、
前記チャネルはページングチャネルを含み、前記情報はページングメッセージを含み、および／または、前記チャネルは制御チャネルを含み、前記情報は制御チャネルのスケジューリンメッセージを含み、
ウェイクアップ信号の受信時に端末がウェイクアップした後、タイムウィンドウでＤＲＸまたはｅＤＲＸスキームを使用してチャネルをモニタリングする場合、
アイドル状態または非アクティブ状態からスリープモードに入る端末が、ウェイクアップ信号の受信時にウェイクアップされた後にアイドル状態/非アクティブ状態に入り、タイムウィンドウを開始させ、前記タイムウィンドウでＤＲＸまたはｅＤＲＸスキームを使用してページングチャネルをモニタリングし、前記タイムウィンドウの長さは、プロトコルによって規定され、ブロードキャスト、または専用シグナリングを介してネットワーク側の装置によって設定され、
または、
ウェイクアップ信号の受信時に端末がウェイクアップした後、タイムウィンドウでＤＲＸまたはｅＤＲＸスキームを使用してチャネルをモニタリングする場合、
接続状態からスリープモードに入る端末は、ウェイクアップ信号の受信時にウェイクアップされた後に、接続状態に入り、タイムウィンドウを開始させ、前記タイムウィンドウで、ＤＲＸまたはｅＤＲＸスキームを使用して制御チャネルをモニタリングし、前記タイムウィンドウの長さは、専用シグナリングを介してネットワーク側の装置によって設定されることを特徴とするチャネルをモニタリングするための方法。 
【請求項２】
前記ウェイクアップ信号のモニタリングを続けることは、スリープモードに入った後に、前記ウェイクアップ信号のモニタリングを続けることを特徴とする請求項１に記載のチャネルをモニタリングするための方法。 
【請求項３】
前記端末は、システム情報またはブロードキャストに従って、ネットワーク側の装置がウェイクアップ信号の送信をサポートしていると判断すると、スリープモードに入る端末であり、または、ネットワークの設定に従ってスリープモードに入る端末であることを特徴とする請求項１に記載のチャネルをモニタリングするための方法。 
【請求項４】
スリープモードに入る端末がアップリンクデータを送信する必要があるときに、
前記端末をウェイクアップして、アップリンクデータを送信することを特徴とする請求項１に記載のチャネルをモニタリングするための方法。 
【請求項５】
情報を送信するための装置はウェイクアップ信号を端末に送信するステップと、
情報をタイムウィンドウで送信する必要がある場合、情報を送信するための装置はＤＲＸまたはｅＤＲＸスキームを使用して、前記タイムウィンドウでチャネルを介して情報を送信し、そしてタイムウィンドウで情報を送信する必要がない場合、タイムウィンドウでＤＲＸまたはｅＤＲＸスキームを使用して、チャネルを介して情報を送信しないステップと、を備え、
前記チャネルはページングチャネルを含み、前記情報はページングメッセージを含み、および／または、前記チャネルは制御チャネルを含み、前記情報は制御チャネルのスケジューリンメッセージを含み、
アイドル状態または非アクティブ状態からスリープモードに入る端末が、ウェイクアップ信号の受信時にウェイクアップされた後に、アイドル状態/非アクティブ状態に入るときに、前記タイムウィンドウの長さは、プロトコルによって規定され、ブロードキャスト、または専用シグナリングを介してネットワーク側の装置によって設定され、
または、
接続状態からスリープモードに入る端末が、ウェイクアップ信号の受信時にウェイクアップされた後に接続状態になる場合、前記タイムウィンドウの長さは、専用シグナリングを介してネットワーク側の装置によって設定されることを特徴とする情報を送信するための方法。
【請求項６】
前記端末は、システム情報またはブロードキャストに従って、ネットワーク側の装置がウェイクアップ信号の送信をサポートしていると判断すると、スリープモードに入る端末であり、または、ネットワークの設定に従ってスリープモードに入る端末であることを特徴とする請求項５に記載の情報を送信するための方法。
【請求項７】
ウェイクアップ信号の受信時に端末がウェイクアップした後、タイムウィンドウでＤＲＸまたはｅＤＲＸスキームを使用してチャネルをモニタリングするための、モニタリングモジュールと、
前記タイムウィンドウで端末が情報を受信すると、前記情報を処理し、前記端末が前記タイムウィンドウで情報を受信しないときに、チャネルのモニタリングを停止し、前記ウェイクアップ信号のモニタリングを続けるための、処理モジュールと、を備え、
前記チャネルはページングチャネルを含み、前記情報はページングメッセージを含み、および／または、前記チャネルは制御チャネルを含み、前記情報は制御チャネルのスケジューリンメッセージを含み、
前記モニタリングモジュールは、ウェイクアップ信号の受信時に端末がウェイクアップした後、タイムウィンドウでＤＲＸまたはｅＤＲＸスキームを使用してチャネルをモニタリングするときに、
アイドル状態または非アクティブ状態からスリープモードに入る端末が、ウェイクアップ信号の受信時にウェイクアップされた後にアイドル状態/非アクティブ状態に入り、タイムウィンドウを開始させ、前記タイムウィンドウでＤＲＸまたはｅＤＲＸスキームを使用してページングチャネルをモニタリングし、前記タイムウィンドウの長さは、プロトコルによって規定され、ブロードキャスト、または専用シグナリングを介してネットワーク側の装置によって設定され、
前記モニタリングモジュールは、ウェイクアップ信号の受信時に端末がウェイクアップした後、タイムウィンドウでＤＲＸまたはｅＤＲＸスキームを使用してチャネルをモニタリングするときに、
接続状態からスリープモードに入る端末が、ウェイクアップ信号の受信時にウェイクアップされた後に、接続状態に入り、タイムウィンドウを開始させ、前記タイムウィンドウでＤＲＸまたはｅＤＲＸスキームを使用して制御チャネルをモニタリングし、前記タイムウィンドウの長さは、専用シグナリングを介してネットワーク側の装置によって設定されることを特徴とするチャネルをモニタリングするための装置。
【請求項８】
前記端末は、システム情報またはブロードキャストに従って、ネットワーク側の装置がウェイクアップ信号の送信をサポートしていると判断すると、スリープモードに入る端末であり、または、ネットワークの設定に従ってスリープモードに入る端末であることを特徴とする請求項７に記載のチャネルをモニタリングするための装置。
【請求項９】
ウェイクアップ信号を端末に送信するための、ウェイクアップ信号送信モジュールと、
情報をタイムウィンドウで送信する必要がある場合、ＤＲＸまたはｅＤＲＸスキームを使用して、前記タイムウィンドウでチャネルを介して情報を送信し、そして、タイムウィンドウで情報を送信する必要がない場合、タイムウィンドウでＤＲＸまたはｅＤＲＸスキームを使用して、チャネルを介して情報を送信しなく、情報送信モジュールと、を備え、
前記チャネルはページングチャネルを含み、前記情報はページングメッセージを含み、および／または、前記チャネルは制御チャネルを含み、前記情報は制御チャネルのスケジューリンメッセージを含み、
アイドル状態または非アクティブ状態からスリープモードに入る端末が、ウェイクアップ信号の受信時にウェイクアップされた後に、アイドル状態/非アクティブ状態に入るときに、前記タイムウィンドウの長さは、プロトコルによって規定され、ブロードキャスト、または専用シグナリングを介してネットワーク側の装置によって設定され、
または、
接続状態からスリープモードに入る端末が、ウェイクアップ信号の受信時にウェイクアップされた後に接続状態になる場合、前記タイムウィンドウの長さは、専用シグナリングを介してネットワーク側の装置によって設定されることを特徴とする情報を送信するための装置。
【発明の詳細な説明】
【技術分野】
【０００１】
本発明は、無線通信技術分野に関し、特に情報を送信するための方法と装置、およびチャネルをモニタリングするための方法と装置に関する。
［関連出願の相互参照］
本出願は、２０１７年３月３１日に中国特許局に提出し、出願番号が２０１７１０２０８７８９.３であり、発明名称が「情報を送信するための方法と装置、およびチャネルをモニタリングするための方法と装置」との中国特許出願を基礎とする優先権を主張し、その開示の総てをここに取り込む。
【背景技術】
【０００２】
図１は、ウェイクアップ信号がどのように機能するかを示す概略図である。図１に示すように、端末がアイドル状態の場合、非常に低い電力が消費されるスリープモードに入る。ネットワーク側の装置がダウンリンクデータをＵＥ（Ｕｓｅｒ Ｅｑｕｉｐｍｅｎｔ，ユーザー機器）に送信する必要がある場合、ウェイクアップ信号を当該ＵＥに送信し、ＵＥは、ネットワーク側の装置とデータを送受信するためにｗａｋｅｕｐ ｓｉｇｎａｌ（ウェイクアップ信号）を受信するとウェイクアップされる。ＵＥは、データの送受信を完了するとスリープモードに再び入る。
【０００３】
ロングタームエボリューション（Ｌｏｎｇ Ｔｅｒｍ Ｅｖｏｌｕｔｉｏｎ，ＬＴＥ）システムの既存のページングメカニズムによれば、ＵＥは、不連続受信（Ｄｉｓｃｏｎｔｉｎｕｏｕｓ Ｒｅｃｅｐｔｉｏｎ，ＤＲＸ）スキームに従ってページングメッセージを受信するために定期的にウェイクアップされる。ＤＲＸページング方式を使用するＵＥのページングサイクルは、コアネットワークのＵＥ ｓｐｅｃｉｆｉｃ（ＵＥ固有の）ページングサイクル、または基地局によってブロードキャストされるデフォルトのページング期間のいずれか短い方である。拡張ＤＲＸ（ｅＤＲＸ（ｅｘｔｅｎｄｅｄ Ｄｉｓｃｏｎｔｉｎｕｏｕｓ Ｒｅｃｅｐｔｉｏｎ，ｅＤＲＸ）スキームを使用するＵＥのページングサイクルには、コアネットワークのｅＤＲＸページングサイクルとページングタイムウィンドウ（Ｐａｇｉｎｇ Ｔｉｍｅ Ｗｉｎｄｏｗ，ＰＴＷ）が含まれる。ＰＴＷでは、端末は、基地局によってブロードキャストされるデフォルトのページングサイクルに従ってページングメッセージをモニタリングする。ＤＲＸスキームとｅＤＲＸスキームのページングサイクルは異なる。図２はＤＲＸページングの概略図、図３はｅＤＲＸページングの概略図である。ページングメッセージは、図２または図３に示すように、無線インターフェイス経由で送信できる。
【０００４】
ＬＴＥシステムにおいて、ＤＲＸスキームにおけるＵＥのページング無線フレームおよびページングサブフレームは、以下のように計算される。
【０００５】
ページング無線フレームの場合：
SFN mod T= (T div N)*(ＵＥ_ID mod N)
ページングサブフレームの場合：
i_s = floor(ＵＥ_ID/N) mod Ns
ここで、
-T: ＤＲＸページングサイクル
-nB: ページング密度
-N: min(T,nB)
-Ns: max(１,nB/T)
-UE_ID: IMSI mod 1024
である。
【０００６】
ＵＥがページングメッセージをモニタリングする時間は、上記の数式に従って計算することができる。
【０００７】
既存の技術の欠点は、ＵＥが定期的に起動してページングメッセージをモニタリングし、ＵＥのエネルギーを浪費することである（ＵＥはほとんどの時間ページングメッセージを受信しない）。ｗａｋｅｕｐ ｓｉｇｎａｌ信号を使用する場合、ＵＥの消費電力は少なくなるが、ウェイクアップ信号とページングメッセージを調整する解決策はこれまで存在しなかった。
【発明の概要】
【発明が解決しようとする課題】
【０００８】
本発明の実施形態は、ＵＥの電力を節約しながらウェイクアップ信号をページングメッセージと調整する方法の問題に対処するために、情報を送信するための方法と装置、およびチャネルをモニタリングするための方法と装置を提供する。
【課題を解決するための手段】
【０００９】
本発明の一実施形態による、チャネルをモニタリングするための方法は、
ウェイクアップ信号の受信時に端末がウェイクアップした後、タイムウィンドウでＤＲＸまたはｅＤＲＸスキームを使用してチャネルをモニタリングするステップと、
前記タイムウィンドウで端末が情報を受信すると、前記情報を処理するステップと、
前記タイムウィンドウで端末が前記情報を受信しなく、と、チャネルのモニタリングを停止し、ウェイクアップ信号のモニタリングを続けるステップと、を備え、
前記チャネルはページングチャネルを含み、前記情報はページングメッセージを含み、および／または、前記チャネルは制御チャネルを含み、前記情報は制御チャネルのスケジューリンメッセージを含む。
【００１０】
オプションとして、前記ウェイクアップ信号のモニタリングを続けることは、スリープモードに入った後に、前記ウェイクアップ信号のモニタリングを続ける。
【００１１】
オプションとして、前記ウェイクアップ信号は、ネットワーク側によって送信されたウェイクアップ信号である。
【００１２】
オプションとして、前記端末は、システム情報またはブロードキャストに従って、ネットワーク側の装置がウェイクアップ信号の送信をサポートしていると判断すると、スリープモードに入る端末であり、または、ネットワークの設定に従ってスリープモードに入る端末である。
【００１３】
オプションとして、前記端末が、ウェイクアップ信号の受信時にウェイクアップされた後にタイムウィンドウでＤＲＸまたはｅＤＲＸスキームを使用してチャネルをモニタリングする場合、
アイドル状態または非アクティブ状態からスリープモードに入る端末が、ウェイクアップ信号の受信時にウェイクアップされた後にアイドル状態/非アクティブ状態に入り、タイムウィンドウを開始させ、前記タイムウィンドウでＤＲＸまたはｅＤＲＸスキームを使用してページングチャネルをモニタリングし、前記タイムウィンドウの長さは、プロトコルによって規定され、ブロードキャスト、または専用シグナリングを介してネットワーク側の装置によって設定される。
【００１４】
オプションとして、タイムウィンドウは、タイマーを使用して具現されるか、または、Ｎ回のページングメッセージを受信するために必要となる時間であり、前記Ｎは１以上の整数である。
【００１５】
オプションとして、ウェイクアップ信号の受信時に端末がウェイクアップした後、タイムウィンドウでＤＲＸまたはｅＤＲＸスキームを使用してチャネルをモニタリングする場合、
接続状態からスリープモードに入る端末が、ウェイクアップ信号の受信時にウェイクアップされた後に、接続状態に入り、タイムウィンドウを開始させ、前記タイムウィンドウでＤＲＸまたはｅＤＲＸスキームを使用して制御チャネルをモニタリングし、前記タイムウィンドウの長さは、専用シグナリングを介してネットワーク側の装置によって設定される。
【００１６】
オプションとして、タイムウィンドウは、タイマーを使用して具現される。
【００１７】
オプションとして、スリープモードに入る端末がアップリンクデータを送信する必要があるときに、
端末をウェイクアップしてアップリンクデータを送信する。
【００１８】
オプションとして、前記端末が、ウェイクアップされた後、システム情報を読み取り、
または、システム情報が更新されたときにネットワーク側の装置によって送信されたウェイクアップ信号によってスリープモードの端末がウェイクアップされた後、システム情報を読み取り、スリープモードに入る。
【００１９】
本発明の一実施形態による情報を送信するための方法は、
ウェイクアップ信号を端末に送信し、
タイムウィンドウでＤＲＸまたはｅＤＲＸスキームを使用してチャネルを介して情報を送信し、前記チャネルはページングチャネルを含み、前記情報はページングメッセージを含み、および／または、前記チャネルは制御チャネルを含み、前記情報は制御チャネルのスケジューリンメッセージを含む。
【００２０】
オプションとして、前記タイムウィンドウで前記情報が送信される必要があれば、前記タイムウィンドウでＤＲＸまたはｅＤＲＸスキームを使用して前記チャネルを介して送信し、そしてタイムウィンドウで情報を送信する必要がない場合、タイムウィンドウでＤＲＸまたはｅＤＲＸスキームを使用して、チャネルを介して情報を送信しなく、。
【００２１】
オプションとして、前記端末は、前記タイムウィンドウで前記情報を受信しない場合にチャネルのモニタリングを停止し、スリープモードに入った後、ウェイクアップ信号のモニタリングを続ける端末である。
【００２２】
オプションとして、前記端末は、システム情報またはブロードキャストに従って、ネットワーク側の装置がウェイクアップ信号の送信をサポートしていると判断すると、スリープモードに入る端末であり、または、ネットワークの設定に従ってスリープモードに入る端末である。
【００２３】
オプションとして、アイドル状態または非アクティブ状態からスリープモードに入る端末が、ウェイクアップ信号の受信時にウェイクアップされた後に、アイドル状態/非アクティブ状態に入るときに、前記タイムウィンドウの長さは、プロトコルによって規定され、ブロードキャスト、または専用シグナリングを介してネットワーク側の装置によって設定される。
【００２４】
オプションとして、タイムウィンドウは、タイマーを使用して具現されるか、または、Ｎ回のページングメッセージを受信するために必要となる時間であり、前記Ｎは１以上の整数である。
【００２５】
オプションとして、接続状態からスリープモードに入る端末が、ウェイクアップ信号の受信時にウェイクアップされた後に接続状態になる場合、前記タイムウィンドウの長さは、専用シグナリングを介してネットワーク側の装置によって設定される。
【００２６】
オプションとして、タイムウィンドウは、タイマーを使用して具現される。
【００２７】
オプションとして、当該方法では、さらに、
システム情報が更新されたときに、ウェイクアップ信号を端末に送信し、スリープモードの端末に、システム情報を読み取るようにする。
【００２８】
本発明の一実施形態によるチャネルをモニタリングするための装置は、
ウェイクアップ信号の受信時に端末がウェイクアップした後、タイムウィンドウでＤＲＸまたはｅＤＲＸスキームを使用してチャネルをモニタリングするための、モニタリングモジュールと、
端末が前記タイムウィンドウで情報を受信したときに前記情報を処理し、前記端末が前記タイムウィンドウで情報を受信しないときに、チャネルのモニタリングを停止し、前記ウェイクアップ信号のモニタリングを続けるための、処理モジュールと、を備え、
前記チャネルはページングチャネルを含み、前記情報はページングメッセージを含み、および／または、前記チャネルは制御チャネルを含み、前記情報は制御チャネルのスケジューリンメッセージを含む。
【００２９】
オプションとして、処理モジュールがウェイクアップ信号のモニタリングを続けることは、スリープモードに入った後に、前記ウェイクアップ信号のモニタリングを続ける。
【００３０】
オプションとして、モニタリングモジュールは、ウェイクアップ信号を受信する場合、ネットワーク側の装置によって送信されたウェイクアップ信号を受信する。
【００３１】
オプションとして、前記端末は、システム情報またはブロードキャストに従って、ネットワーク側の装置がウェイクアップ信号の送信をサポートしていると判断すると、スリープモードに入る端末であり、または、ネットワークの設定に従ってスリープモードに入る端末である。
【００３２】
オプションとして、モニタリングモジュールは、ウェイクアップ信号の受信時に端末がウェイクアップした後、タイムウィンドウでＤＲＸまたはｅＤＲＸスキームを使用してチャネルをモニタリングするときに、
アイドル状態または非アクティブ状態からスリープモードに入る端末が、ウェイクアップ信号の受信時にウェイクアップされた後にアイドル状態/非アクティブ状態に入り、タイムウィンドウを開始させ、前記タイムウィンドウでＤＲＸまたはｅＤＲＸスキームを使用してページングチャネルをモニタリングし、前記タイムウィンドウの長さは、プロトコルによって規定され、ブロードキャスト、または専用シグナリングを介してネットワーク側の装置によって設定される。
【００３３】
オプションとして、タイムウィンドウは、タイマーを使用して具現されるか、または、Ｎ回のページングメッセージを受信するために必要となる時間であり、前記Ｎは１以上の整数である。
【００３４】
オプションとして、モニタリングモジュールは、ウェイクアップ信号の受信時に端末がウェイクアップした後、タイムウィンドウでＤＲＸまたはｅＤＲＸスキームを使用してチャネルをモニタリングするときに、接続状態からスリープモードに入る端末が、ウェイクアップ信号の受信時にウェイクアップされた後に、接続状態に入り、タイムウィンドウを開始させ、前記タイムウィンドウでＤＲＸまたはｅＤＲＸスキームを使用して制御チャネルをモニタリングし、前記タイムウィンドウの長さは、専用シグナリングを介してネットワーク側の装置によって設定される。
【００３５】
オプションとして、タイムウィンドウは、タイマーを使用して具現される。
【００３６】
オプションとして、前記装置は、スリープモードに入る端末がアップリンクデータを送信する必要があるときにそれ自体をウェイクアップし、アップリンクデータを送信するための、アップリンクデータ送信モジュールをさらに備える。
【００３７】
オプションとして、前記装置は、端末がウェイクアップされた後、システム情報を読み取り、または、システム情報が更新されたときにネットワーク側の装置によって送信されたウェイクアップ信号によってスリープモードの端末がウェイクアップされた後、前記システム情報を読み取り、スリープモードに入るための、更新モジュールをさらに備える。
【００３８】
本発明の一実施形態による情報を送信するための装置は、
ウェイクアップ信号を端末に送信するための、ウェイクアップ信号送信モジュールと、
情報をタイムウィンドウで送信する必要がある場合、ＤＲＸまたはｅＤＲＸスキームを使用して、前記タイムウィンドウでチャネルを介して情報を送信し、そして、タイムウィンドウで情報を送信する必要がない場合、タイムウィンドウでＤＲＸまたはｅＤＲＸスキームを使用して、チャネルを介して情報を送信しなく、情報送信モジュールと、を備え、
前記チャネルはページングチャネルを含み、前記情報はページングメッセージを含み、および／または、前記チャネルは制御チャネルを含み、前記情報は制御チャネルのスケジューリンメッセージを含む。
【００３９】
オプションとして、前記端末は、前記タイムウィンドウで前記情報を受信しない場合にチャネルのモニタリングを停止し、スリープモードに入った後、ウェイクアップ信号のモニタリングを続ける端末である。
【００４０】
オプションとして、前記端末は、システム情報またはブロードキャストに従って、ネットワーク側の装置がウェイクアップ信号の送信をサポートしていると判断すると、スリープモードに入る端末であり、または、ネットワークの設定に従ってスリープモードに入る端末である。
【００４１】
オプションとして、アイドル状態または非アクティブ状態からスリープモードに入る端末が、ウェイクアップ信号の受信時にウェイクアップされた後に、アイドル状態/非アクティブ状態に入るときに、前記タイムウィンドウの長さは、プロトコルによって規定され、ブロードキャスト、または専用シグナリングを介してネットワーク側の装置によって設定される。
【００４２】
オプションとして、タイムウィンドウは、タイマーを使用して具現されるか、または、Ｎ回のページングメッセージを受信するために必要となる時間であり、前記Ｎは１以上の整数である。
【００４３】
オプションとして、接続状態からスリープモードに入る端末が、ウェイクアップ信号の受信時にウェイクアップされた後に接続状態になる場合、前記タイムウィンドウの長さは、専用シグナリングを介してネットワーク側の装置によって設定される。
【００４４】
オプションとして、タイムウィンドウは、タイマーを使用して具現される。
【００４５】
オプションとして、ウェイクアップ信号送信モジュールは、さらに、システム情報が更新されたときに、ウェイクアップ信号を端末に送信し、スリープモードの端末に、システム情報を読み取るようにする。
【００４６】
本発明の一実施形態による他のチャネルをモニタリングするための装置は、
プログラム命令を格納するように構成されたメモリと、
メモリに格納されたプログラム命令を読み取って実行するように構成されたプロセッサとを備え、
前記プロセッサは、
ウェイクアップ信号の受信時に端末がウェイクアップした後、タイムウィンドウで不連続受信（ＤＲＸ）または拡張不連続受信（ｅＤＲＸ）スキームを使用してチャネルをモニタリングし、
端末が前記タイムウィンドウで情報を受信したときに前記情報を処理し、
前記端末が前記タイムウィンドウで情報を受信しないときに、チャネルのモニタリングを停止し、ウェイクアップ信号のモニタリングを続行し、
前記チャネルはページングチャネルを含み、前記情報はページングメッセージを含み、および／または、前記チャネルは制御チャネルを含み、前記情報は制御チャネルのスケジューリンメッセージを含む。
【００４７】
本発明の一実施形態による他の情報を送信するための装置は、
プログラム命令を格納するように構成されたメモリと、
メモリに格納されたプログラム命令を読み取って実行するように構成されたプロセッサとを備え、
前記プロセッサは、
ウェイクアップ信号を端末に送信し、
情報をタイムウィンドウで送信する必要がある場合、ＤＲＸまたはｅＤＲＸスキームを使用して、前記タイムウィンドウでチャネルを介して情報を送信し、そしてタイムウィンドウで情報を送信する必要がない場合、タイムウィンドウでＤＲＸまたはｅＤＲＸスキームを使用して、チャネルを介して情報を送信しなく、
前記チャネルはページングチャネルを含み、前記情報はページングメッセージを含み、および／または、前記チャネルは制御チャネルを含み、前記情報は制御チャネルのスケジューリンメッセージを含む。
【００４８】
本発明の実施形態は、コンピュータに本発明の上記実施形態のいずれか一項に記載の方法を実行させるコンピュータ実行可能命令を格納したコンピュータ記憶媒体を提供する。
【発明の効果】
【００４９】
本発明の有利な効果は以下の通りである。
【００５０】
本発明の実施形態による技術的解決策において、ウェイクアップ信号の受信時に端末がウェイクアップした後、タイムウィンドウでＤＲＸまたはｅＤＲＸスキームを使用して、ページングおよび／または制御チャネルをモニタリングする。前記タイムウィンドウで、端末がページングメッセージおよび／または制御チャネルスケジューリン情報を受信すると、ページングメッセージを処理しおよび／または制御チャネルスケジューリン情報を処理し、前記タイムウィンドウで、端末がページングメッセージおよび／または制御チャネルスケジューリン情報を受信しない場合、モニタリングページングおよび／または制御チャネルのモニタリングを停止し、ウェイクアップ信号のモニタリングを続ける。
【００５１】
これに対し、既存の技術において、端末はページングメッセージを絶えずモニタリングし、当該端末のページングメッセージがないとき、端末は依然としてモニタリングのために多くの電力を消費する。一方、本発明の実施形態による技術的解決策では、ウェイクアップ信号が導入され、ページングメッセージとともに使用されるため、端末はウェイクアップ信号のみをモニタリングし、モニタリングする必要がある場合にのみウェイクアップされ、ページングをモニタリングする。例えば、ウェイクアップ信号は、ＥＴＣ（Ｅｌｅｃｔｒｏｎｉｃ Ｔｏｌｌ Ｃｏｌｌｅｃｔｉｏｎ ，電子料金徴収）またはＲＦＩＤ（Ｒａｄｉｏ Ｆｒｅｑｕｅｎｃｙ Ｉｄｅｎｔｉｆｉｃａｔｉｏｎ）と同様に受動的にモニタリングできる。アクティブモニタリングと比較して、受動的にモニタリングのほうが、より電力を節約し、端末の電力を節約できることをが確保される。さらに、本発明の実施形態によれば、端末は依然としてページングメッセージを受信できるので、端末へのサービスのアクセシビリティも保証される。
【図面の簡単な説明】
【００５２】
本発明に係る実施例や従来の技術方案をより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【図１】背景技術におけるウェイクアップ信号の概略ウェイクアップ図である。
【図２】背景技術におけるＤＲＸページングの概略図である。
【図３】背景技術におけるｅＤＲＸページングの概略図である。
【図４】本発明の実施形態による端末側チャネルをモニタリングするための方法の概略フローチャートである。
【図５】本発明の実施形態による基地局側情報を送信するための方法の概略フローチャートである。
【図６】本発明の実施形態１によるタイムウィンドウの概略図である。
【図７】本発明の実施形態２によるタイムウィンドウの概略図である。
【図８】本発明の実施形態による端末側チャネルをモニタリングするための装置の概略構造図である。
【図９】本発明の実施形態による基地局側情報を送信するための装置の概略構造図である。
【図１０】本発明の実施形態による端末の概略構造図である。
【図１１】本発明の実施形態による基地局の概略構造図である。
【発明を実施するための形態】
【００５３】
発明者らは、発明の間に以下のことに気付いた。
【００５４】
無線通信システムの発展に伴い、端末の種類およびサービスの種類は多様化しており、端末の電力を節約し、ネットワークリソースを節約する要求および様々なサービスの要件を満たす要求が同時に存在する。端末の電力を節約するだけでなく、サービスへのアクセスを提供するために、ウェイクアップ信号（ｗａｋｅｕｐ ｓｉｇｎａｌ）が導入され端末がウェイクアップ信号をモニタリングすると、端末は低電力を消費する。そして、端末は、ページングメッセージを受信するための自身のウェイクアップ信号の受信時に通信モジュール（より多くの電力を消費する）を開始する。ただし、これまで、ウェイクアップ信号の使用とページングメッセージの受信を調整するための具体的な解決策はない。
【００５５】
これを考慮して、本発明の実施形態は、上記の問題に対処するためにチャネルをモニタリングする解決策を提供する。本発明の特定の実施形態は、図面を参照して以下に説明される。
【００５６】
以下の説明では、以下の実施形態の解決策をよりよく理解するため、端末側および基地局側の実施形態をそれぞれ説明し、そして、端末および基地局が互いに協力する実施形態を説明する。そのような記述は、端末と基地局が互いに協力しなければならない、または別々に動作しなければならないことを示唆してはならない。実際、端末と基地局がそれぞれの実施形態で別々に動作する場合、端末側と基地局側の問題にそれぞれ対処することができ、両方が互いに協力する場合により良い技術的効果を達成できる。
【００５７】
図４は、端末側において、チャネルをモニタリングするための方法の概略フローチャートである。図４に示すように、当該方法は以下のステップ４０１〜４０４を含む。
【００５８】
ステップ４０１において、ウェイクアップ信号の受信時に端末は、ウェイクアップした後、タイムウィンドウでＤＲＸまたはｅＤＲＸスキームを使用して、ページングチャネルおよび／または制御チャネルをモニタリングする。
【００５９】
ステップ４０２において、端末がは、メッセージが当該タイムウィンドウ内で受信されたかどうかを判断し、受信された場合、ステップ４０３に進み、受信されない場合、ステップ４０４に進む。
【００６０】
ステップ４０３において、前記タイムウィンドウで、端末は、ページングメッセージおよび／または制御チャネルスケジューリン情報を受信すると、ページングメッセージを処理しおよび／または制御チャネルスケジューリン情報を処理する。
【００６１】
ステップ４０４において、前記タイムウィンドウで、端末が、ページングメッセージおよび／または制御チャネルスケジューリン情報を受信しないと、ページングチャネルおよび／または制御チャネルのモニタリングを停止し、ウェイクアップ信号のモニタリングを続ける。
【００６２】
具体的に、本発明の実施形態では、ウェイクアップ信号の受信時に端末は、ウェイクアップした後、タイムウィンドウでＤＲＸまたはｅＤＲＸスキームを使用して、ページングチャネルをモニタリングし、および／またはＤＲＸまたはｅＤＲＸスキームを使用して制御チャネルをモニタリングする。前記タイムウィンドウで、端末がページングメッセージを受信すると、ページングメッセージを処理し、および／または、端末が制御チャネルスケジューリン情報を受信すると、制御チャネルスケジューリン情報を処理し、前記タイムウィンドウで、端末がページングメッセージおよび／または制御チャネルスケジューリン情報を受信しない場合、ページングチャネルおよび／または制御チャネルのモニタリングを停止し、ウェイクアップ信号のモニタリングを続ける。
【００６３】
本実施形態に係るページングチャネルは、ページングのプロセスと関連するデータを伝送ための、ダウンリンク送信チャネルである。
【００６４】
オプションとして、ウェイクアップ信号は、ネットワーク側によって送信されたウェイクアップ信号である。
【００６５】
具体的に、アイドル状態/非アクティブ状態/接続状態のＵＥは、スリープモードに入って、ネットワーク側からのウェイクアップ信号を受信する。
【００６６】
オプションとして、端末は、システム情報またはブロードキャストに従って、ネットワーク側の装置がウェイクアップ信号の送信をサポートしていると判断すると、スリープモードに入る端末であり、または、ネットワークの設定に従ってスリープモードに入る端末である。
【００６７】
具体的に、ネッネットワーク側の装置は、システム情報またはブロードキャストによるウェイクアップ信号の送信をサポートするかどうか、およびこの属性がネットワーク側の装置によってサポートされる場合にのみアナウンスする。また、ＵＥはスリープモードに入り、ネットワーク側の装置で設定できる。
【００６８】
オプションとして、ウェイクアップ信号の受信時に端末がウェイクアップした後、タイムウィンドウでＤＲＸまたはｅＤＲＸスキームを使用して、ページングチャネルおよび／または制御チャネルをモニタリングする場合、
アイドル状態または非アクティブ状態からスリープモードに入る端末が、ウェイクアップ信号の受信時にウェイクアップされた後にアイドル状態/非アクティブ状態に入り、タイムウィンドウを開始させ、前記タイムウィンドウで、ＤＲＸまたはｅＤＲＸスキームを使用してページングチャネルをモニタリングする。前記タイムウィンドウの長さは、プロトコルによって規定され、ブロードキャスト、または専用シグナリングを介してネットワーク側の装置によって設定される。
【００６９】
具体的に、アイドル状態/非アクティブ状態からスリープモードに入るＵＥは、ネットワーク側からウェイクアップ信号を受信すると、アイドル状態/非アクティブ状態に入り、かつタイムウィンドウを開始し、前記タイムウィンドウで、ＤＲＸまたはｅＤＲＸスキームを使用して、ページングメッセージをモニタリングする。タイムウィンドウの長さは、プロトコルによって規定されるか、ネットワーク側がブロードキャストで設定されるか、ネットワーク側が専用シグナリングで設定される。
【００７０】
オプションとして、タイムウィンドウは、タイマーで具現され、または、Ｎ回のページングメッセージを受信するために必要となる時間であり、前記Ｎは１以上の整数である。
【００７１】
具体的に、タイムウィンドウは、タイマーで具現され、または、Ｎ回のページングメッセージを受信するために必要となる時間である。前記Ｎは１以上の整数であり、タイムウィンドウは、プロトコルによって規定されるか、ネットワーク側がブロードキャストで設定されるか、ネットワーク側が専用シグナリングで設定される。
【００７２】
オプションとして、受信ウェイクアップ信号のモニタリングを続けることは、スリープモードに入った後に、ウェイクアップ信号のモニタリングを続ける。
【００７３】
具体的に、上記タイムウィンドウで、ＵＥが了ページングメッセージを受信すると、ページングメッセージを処理し、その後のデータを送受信する。前記タイムウィンドウで、ＵＥがページングメッセージを受信しないとページングメッセージのモニタリングを停止し、スリープモードに入り、ウェイクアップ信号のモニタリングを続ける。
【００７４】
オプションとして、接続状態からスリープモードに入る端末が、ウェイクアップ信号の受信時にウェイクアップされた後に、接続状態に入り、タイムウィンドウを開始させ、前記タイムウィンドウで、ＤＲＸまたはｅＤＲＸスキームを使用して制御チャネルをモニタリングし、ここで、タイムウィンドウの長さは、専用シグナリングを介してネットワーク側の装置によって設定される。
【００７５】
オプションとして、タイムウィンドウはタイマーにより具現される。
【００７６】
具体的に、接続状態からスリープモードに入るＵＥは、ネットワーク側からウェイクアップ信号を受信すると、当該ＵＥが接続状態に入り、かつタイムウィンドウを開始し、前記タイムウィンドウで、ＤＲＸまたはｅＤＲＸスキームを使用して、ダウンリンク制御チャネルをモニタリングする。当該タイムウィンドウの長さは、専用シグナリングを介してネットワーク側の装置によって設定される。具体的に、タイマーで具現できる。
【００７７】
オプションとして、スリープモードに入る端末がアップリンクデータを送信する必要があるときに、当該方法では、端末をウェイクアップしてアップリンクデータを送信する。
【００７８】
具体的に、スリープモードに入ったＵＥ，送信すべきアップリンクデータがあれば、端末は、それ自体をウェイクアップして、アップリンクデータを送信する。
【００７９】
オプションとして、当該方法では、さらに、
端末がウェイクアップされた後、システム情報を読み取り、
または、システム情報が更新されたときにネットワーク側の装置によって送信されたウェイクアップ信号によってスリープモードの端末がウェイクアップされた後、システム情報を読み取り、スリープモードに入る。
【００８０】
具体的に、ＵＥはウェイクアップされた後、システム情報を再度読み取ることにより、現在のシステム情報が最新情報であることを確保する。または、ＵＥがスリープモードの場合、更新すべきシステム情報があれば、ネットワーク側の装置は、ウェイクアップ信号を送信して、ＵＥに、ウェイクアップされた後、最新システム情報を読ませる。ＵＥがシステム情報の読み取りを完成した後に、スリープモードに戻す。
【００８１】
基地局側の実施形態を以下に説明する。基地局側の実施形態は、ある程度端末側の実施形態に対応するため、基地局側の実施形態の詳細については、端末側の上記実施形態を参照することができる。
【００８２】
図５は、基地局側情報を送信するための方法の概略フローチャートである。図５に示すように、以下のステップを備える。
【００８３】
ステップ５０１において、ウェイクアップ信号を端末に送信する。
【００８４】
ステップ５０２において、タイムウィンドウで、送信すべきページングメッセージおよび／または制御チャネルスケジューリン情報があれば、前記タイムウィンドウで、ＤＲＸまたはｅＤＲＸスキームを使用してページングチャネルおよび／または制御チャネルを介して送信し、送信すべきページングメッセージおよび／または制御チャネルスケジューリン情報がなければ、タイムウィンドウでＤＲＸまたはｅＤＲＸスキームを使用して、ページングチャネルおよび／または制御チャネルを介して送信しない。
【００８５】
オプションとして、当該端末は、当該タイムウィンドウでページングメッセージおよび／または制御チャネルスケジューリン情報を受信しないと、ページングチャネルおよび／または制御チャネルのモニタリングを停止し、スリープモードに入った後にウェイクアップ信号のモニタリングを続ける端末である。
【００８６】
オプションとして、当該端末は、システム情報またはブロードキャストに従って、ネットワーク側の装置がウェイクアップ信号の送信をサポートしていると判断すると、スリープモードに入る端末であり、または、ネットワークの設定に従ってスリープモードに入る端末である。
【００８７】
オプションとして、アイドル状態または非アクティブ状態からスリープモードに入る端末が、ウェイクアップ信号の受信時にウェイクアップされた後に、アイドル状態/非アクティブ状態に入るときに、前記タイムウィンドウの長さは、プロトコルによって規定され、ブロードキャスト、または専用シグナリングを介してネットワーク側の装置によって設定される。
【００８８】
オプションとして、タイムウィンドウは、タイマーで具現され、または、Ｎ回のページングメッセージを受信するために必要となる時間であり、前記Ｎは１以上の整数である。
【００８９】
オプションとして、接続状態からスリープモードに入る端末が、ウェイクアップ信号の受信時にウェイクアップされた後に接続状態になる場合、タイムウィンドウの長さは、専用シグナリングを介してネットワーク側の装置によって設定される。
【００９０】
オプションとして、タイムウィンドウはタイマーにより具現される。
【００９１】
オプションとして、上記情報を送信するための方法では、さらに、システム情報が更新されたときに、ウェイクアップ信号を端末に送信し、スリープモードの端末に、システム情報を読み取るようにする。
【００９２】
いくつかの例を以下に示す。これらの例では、ＤＲＸスキームが使用されてい説明する。当業者には明らかなように、ＤＲＸスキームとｅＤＲＸスキームの違いは、ページングサイクルが異なることにある。端末がＤＲＸページングメカニズムを使用する場合、端末のページングサイクルは、コアネットワークの端末固有の（ＵＥ ｓｐｅｃｉｆｉｃ）ページングサイクルと基地局によってブロードキャストされるデフォルトのページングサイクルの短い方である。端末がｅＤＲＸページングメカニズムを使用する場合、端末のページングサイクルは、コアネットワークのｅＤＲＸページングサイクルおよびＰＴＷを含む。ＰＴＷ内で、端末は、基地局によってブロードキャストされるデフォルトのページングサイクルに従って、ページングメッセージをモニタリングする。したがって、当業者は、それに応じてＤＲＸスキームのページングサイクルを修正することにより、以下の例による方法をｅＤＲＸスキームに適合させることができる。
【００９３】
実施例１：
本実施形態では、ページングメッセージを受信するために端末をウェイクアップすることを説明する。
【００９４】
ネットワーネットワーク側装置によってＵＥがアイドル状態または非アクティブ状態に入るように設定されている場合、ＵＥはスリープモードに入り得る。アイドル状態/非アクティブ状態のＵＥがウェイクアップ信号の送信をサポートするセルに滞在した後、UEはスリープモードに入り、ネットワーク側の装置からウェイクアップ信号のみを受信する。
【００９５】
図６は、実施例１によるタイムウィンドウの概略図である。図６に示すように、ネットワーク側装置によって送信されたウェイクアップ信号を受信すると、ＵＥはアイドル状態/非アクティブ状態に入り、かつタイムウィンドウを開始し、前記タイムウィンドウで、ＤＲＸスキームを使用してページングメッセージをモニタリングする。同時に、UEがウェイクアップされた後、現在のシステム情報が最新になるように、ＵＥはシステム情報を再度読み取る。タイムウィンドウの長さは、ブロードキャストまたは専用シグナリングを介してネットワーク側の装置によって設定される。タイムウィンドウは、具体的に、タイマーで具現できるか、Ｎ回の（下の図においてＮ=５）ページングメッセージを受信するのに必要とする時間であり、詳細に図６を参照する。
【００９６】
上記タイムウィンドウで、ＵＥが了ページングメッセージを受信すると、ページングメッセージを処理し、その後のデータを送受信する。上記タイムウィンドウでＵＥがページングメッセージを受信していないと、ページングメッセージのモニタリングを停止し、スリープモードに入り、ウェイクアップ信号のモニタリングを続ける。
【００９７】
スリープモードに入ったＵＥは、送信すべきアップリンクデータがあれば、アップリンクデータを送信するために、直接にウェイクアップされる。
【００９８】
実施例２：
本実施形態では、データの送受信のために、ＵＥをウェイクアップすることを説明する。
【００９９】
接続状態のＵＥは、専用シグナリングを介してスリープモードに入るようにネットワーク側装置によって設定される。ＵＥは、スリープモードに入った後、ネットワーク側の装置からウェイクアップ信号のみを受信する。
【０１００】
図７は、実施例２によるタイムウィンドウの概略図である。図７に示すように、ネットワーク側装置によって送信されたウェイクアップ信号を受信すると、ＵＥは接続状態に入り、かつタイムウィンドウを開始し、前記タイムウィンドウで、ネットワークによってＤＲＸが設定されると、ＤＲＸスキームを使用してダウンリンク制御チャネルのモニタリングを続ける。ネットワークによってＤＲＸが設定されていなければ、ダウンリンク制御チャネルのモニタリングを続ける。タイムウィンドウの長さは、ネットワーク側によって専用シグナリングを介して設定される。具体的に、タイマーで具現できる。ＤＲＸの具現は図７によって詳細に示される。
【０１０１】
上記タイムウィンドウで、ＵＥがタイムウィンドウ内でダウンリンク制御チャネルを介してスケジューリング情報を受信する場合、ＵＥはデータを送信および受信する。ＵＥがタイムウィンドウでダウンリンク制御チャネルを介してスケジューリング情報を受信しない場合、ダウンリンク制御チャネルのモニタリングを停止し、ＵＥはスリープモードに入り、ウェイクアップ信号のモニタリングを続ける。
【０１０２】
スリープモードに入ったＵＥは、送信すべきアップリンクデータがあれば、アップリンクデータ送信のため、直接にウェイクアップされる。
【０１０３】
実施例３：
本実施形態では、システム情報の更新のため、ＵＥをウェイクアップする。
【０１０４】
ＵＥがネットワーク側装置によってアイドル状態または非アクティブ状態に入るように設定されている場合、ＵＥはスリープモードに入り得る。アイドル状態/非アクティブ状態のＵＥがウェイクアップ信号の送信をサポートするセルに滞在した後、ＵＥはスリープモードに入り、ネットワーク側の装置からウェイクアップ信号のみを受信する。
【０１０５】
接続状態のＵＥは、専用シグナリングを介してスリープモードに入るようにネットワーク側装置によって設定される。上記スリープモードに入ったＵＥが、ネットワーク側からウェイクアップ信号を受信すると、アイドル状態/非アクティブ状態/接続状態に入り、かつタイムウィンドウを開始し、前記タイムウィンドウで、ＤＲＸスキームを使用してページングメッセージ/制御チャネルをモニタリングし、タイムウィンドウの長さは、ネットワーク側によって、ブロードキャストまたは専用シグナリングを介して設定される。タイムウィンドウは、具体的に、タイマーで具現できる。
【０１０６】
ネットワーク側装置のシステム情報が更新されると、セル内のスリープモードにあるすべてのＵＥは、ネットワーク側によってウェイクアップされる。ＵＥがウェイクアップされた後、ＵＥは上記タイムウィンドウで、システム情報が更新されたことを示すページングメッセージを受信する。次に、ＵＥはシステム情報を受信し、システム情報を受信するとスリープモードに戻る。
【０１０７】
同じ発明思想に基づいて、本発明の実施形態は、チャネルをモニタリングするための装置、および情報を送信するための装置を提供する。これらの装置は、チャネルをモニタリングするための方法、および情報を送信するための方法と同様の原理の下で問題に対処するため、これらの装置の実施形態の詳細については、方法の上記の実施形態を参照することができ、その繰り返しの説明はここでは省略する。
【０１０８】
図８は、端末側チャネルをモニタリングするための装置の概略構造図である。図８に示すように、当該装置は、 
ウェイクアップ信号の受信時に端末がウェイクアップした後、タイムウィンドウでＤＲＸまたはｅＤＲＸスキームを使用して、ページングチャネルおよび／または制御チャネルをモニタリングするための、モニタリングモジュール８０１と、
前記タイムウィンドウで、端末が、ページングメッセージおよび／または制御チャネルスケジューリン情報を受信すると、ページングメッセージを処理しおよび／または制御チャネルスケジューリン情報を処理し、前記タイムウィンドウで、端末が、ページングメッセージおよび／または制御チャネルスケジューリン情報を受信しないと、ページングチャネルおよび／または制御チャネルのモニタリングを停止し、ウェイクアップ信号のモニタリングを続けるための、処理モジュール８０２とを備える。
【０１０９】
オプションとして、処理モジュールがウェイクアップ信号のモニタリングを続けることは、スリープモードに入った後に、ウェイクアップ信号のモニタリングを続ける。
【０１１０】
オプションとして、モニタリングモジュールは、さらに、ネットワーク側からのウェイクアップ信号を受信する。
【０１１１】
オプションとして、端末は、システム情報またはブロードキャストに従って、ネットワーク側の装置がウェイクアップ信号の送信をサポートしていると判断すると、スリープモードに入る端末であり、または、ネットワークの設定に従ってスリープモードに入る端末である。
【０１１２】
オプションとして、モニタリングモジュールは、ウェイクアップ信号の受信時に端末がウェイクアップした後、タイムウィンドウでＤＲＸまたはｅＤＲＸスキームを使用して、ページングチャネルおよび／または制御チャネルをモニタリングする場合い、アイドル状態または非アクティブ状態からスリープモードに入る端末が、ウェイクアップ信号の受信時にウェイクアップされた後にアイドル状態/非アクティブ状態に入り、タイムウィンドウを開始させ、前記タイムウィンドウで、ＤＲＸまたはｅＤＲＸスキームを使用してページングチャネルをモニタリングする。ここで、タイムウィンドウの長さは、プロトコルによって規定され、ブロードキャスト、または専用シグナリングを介してネットワーク側の装置によって設定される。
【０１１３】
オプションとして、タイムウィンドウは、タイマーで具現され、または、Ｎ回のページングメッセージを受信するために必要となる時間であり、前記Ｎは１以上の整数である。
【０１１４】
オプションとして、モニタリングモジュールは、接続状態からスリープモードに入る端末が、ウェイクアップ信号の受信時にウェイクアップされた後に、接続状態に入り、タイムウィンドウを開始させ、前記タイムウィンドウで、ＤＲＸまたはｅＤＲＸスキームを使用して制御チャネルをモニタリングし、ここで、タイムウィンドウの長さは、専用シグナリングを介してネットワーク側の装置によって設定される。
【０１１５】
オプションとして、タイムウィンドウはタイマーにより具現される。
【０１１６】
オプションとして、当該装置は、スリープモードに入る端末がアップリンクデータを送信する必要があるときに端末をウェイクアップしてアップリンクデータを送信するための、アップリンクデータ送信モジュールをさらに備える。
【０１１７】
オプションとして、当該装置は、さらに、端末がウェイクアップされた後、システム情報を読み取り、または、システム情報が更新されたときにネットワーク側の装置によって送信されたウェイクアップ信号によってスリープモードの端末がウェイクアップされた後、システム情報を読み取り、スリープモードに入るための、更新モジュールをさらに備える。
【０１１８】
図９は基地局側情報を送信するための装置の概略構造図である。図９に示すように、当該装置は、
ウェイクアップ信号を端末に送信するための、ウェイクアップ信号送信モジュール９０１と、
タイムウィンドウで、送信すべきページングメッセージおよび／または制御チャネルスケジューリン情報があれば、タイムウィンドウでＤＲＸまたはｅＤＲＸスキームを使用して、ページングチャネルおよび／または制御チャネルを介して送信し、送信すべきページングメッセージおよび／または制御チャネルスケジューリン情報がなければ、タイムウィンドウでＤＲＸまたはｅＤＲＸスキームを使用して、ページングチャネルおよび／または制御チャネルを介して送信しない、情報送信モジュール９０２とを備える。
【０１１９】
オプションとして、当該端末は、当該タイムウィンドウでページングメッセージおよび／または制御チャネルスケジューリン情報を受信しないと、ページングチャネルおよび／または制御チャネルのモニタリングを停止し、スリープモードに入った後にウェイクアップ信号のモニタリングを続ける端末である。
【０１２０】
オプションとして、当該端末は、システム情報またはブロードキャストに従って、ネットワーク側の装置がウェイクアップ信号の送信をサポートしていると判断すると、スリープモードに入る端末であり、または、ネットワークの設定に従ってスリープモードに入る端末である。
【０１２１】
オプションとして、アイドル状態または非アクティブ状態からスリープモードに入る端末が、ウェイクアップ信号の受信時にウェイクアップされた後に、アイドル状態/非アクティブ状態に入るときに、タイムウィンドウの長さは、プロトコルによって規定され、ブロードキャスト、または専用シグナリングを介してネットワーク側の装置によって設定される。
【０１２２】
オプションとして、タイムウィンドウは、タイマーで具現され、または、Ｎ回のページングメッセージを受信するために必要となる時間であり、前記Ｎは１以上の整数である。
【０１２３】
オプションとして、接続状態からスリープモードに入る端末が、ウェイクアップ信号の受信時にウェイクアップされた後に接続状態になる場合、タイムウィンドウの長さは、専用シグナリングを介してネットワーク側の装置によって設定される。
【０１２４】
オプションとして、タイムウィンドウはタイマーにより具現される。
【０１２５】
オプションとして、ウェイクアップ信号送信モジュールは、さらに、システム情報が更新されたときに、ウェイクアップ信号を端末に送信し、スリープモードの端末に、システム情報を読み取るようにする。
【０１２６】
上記の装置の各部分は、機能に応じたモジュールまたはユニットの形で説明されてきた。もちろん、それぞれのモジュールまたはユニットの機能は、１つまたは複数のソフトウェアまたはハードウェアによって実行することもできる。
【０１２７】
本開示の実施形態による技術的解決策は、以下のように実施することができる。
【０１２８】
図１０は、端末の概略構造図である。図１０に示すように、端末は、
プログラム命令を格納するための、メモリ１０２０と、
メモリ１０２０に格納されたプログラムを読み取り、以下の動作を実行するように構成されたプロセッサ１０００とを備える。
【０１２９】
前記プロセッサ１０００は、ウェイクアップ信号の受信時に端末がウェイクアップした後、タイムウィンドウでＤＲＸまたはｅＤＲＸスキームを使用して、ページングチャネルおよび／または制御チャネルをモニタリングする。
【０１３０】
前記タイムウィンドウで、端末が、ページングメッセージおよび／または制御チャネルスケジューリン情報を受信すると、ページングメッセージを処理しおよび／または制御チャネルスケジューリン情報を処理する。
【０１３１】
前記タイムウィンドウで、端末が、ページングメッセージおよび／または制御チャネルスケジューリン情報を受信しないと、ページングチャネルおよび／または制御チャネルのモニタリングを停止し、ウェイクアップ信号のモニタリングを続ける。
【０１３２】
オプションとして、基地局側からのウェイクアップ信号を受信する。
【０１３３】
オプションとして、端末が情報を受信すると、情報を処理することは、具体的に、前記タイムウィンドウで、ページングメッセージを受信すると、ページングメッセージを処理し、および／または、当該タイムウィンドウで制御チャネルのスケジューリンメッセージを受信すると、制御チャネルのスケジューリンメッセージを処理する。
【０１３４】
オプションとして、前記ウェイクアップ信号のモニタリングを続けることは、スリープモードに入った後に、ウェイクアップ信号のモニタリングを続ける。
【０１３５】
オプションとして、前記ウェイクアップ信号は、ネットワーク側によって送信されたウェイクアップ信号である。
【０１３６】
オプションとして、前記端末は、システム情報またはブロードキャストに従って、ネットワーク側の装置がウェイクアップ信号の送信をサポートしていると判断すると、スリープモードに入る端末であり、または、ネットワークの設定に従ってスリープモードに入る端末である。
【０１３７】
オプションとして、前記プロセッサ１０００は、ウェイクアップ信号の受信時に端末がウェイクアップした後、タイムウィンドウでＤＲＸまたはｅＤＲＸスキームを使用して、ページングチャネルおよび／または制御チャネルをモニタリングする場合、
前記プロセッサ１０００は、アイドル状態または非アクティブ状態からスリープモードに入る端末が、ウェイクアップ信号の受信時にウェイクアップされた後にアイドル状態/非アクティブ状態に入り、タイムウィンドウを開始させ、前記タイムウィンドウで、ＤＲＸまたはｅＤＲＸスキームを使用してページングチャネルをモニタリングする。前記タイムウィンドウの長さは、プロトコルによって規定され、ブロードキャスト、または専用シグナリングを介してネットワーク側の装置によって設定される。
【０１３８】
オプションとして、タイムウィンドウは、タイマーを使用して具現されるか、または、Ｎ回のページングメッセージを受信するために必要となる時間であり、前記Ｎは１以上の整数である。
【０１３９】
オプションとして、前記プロセッサ１０００は、接続状態からスリープモードに入る端末が、ウェイクアップ信号の受信時にウェイクアップされた後に、接続状態に入り、タイムウィンドウを開始させ、前記タイムウィンドウで、ＤＲＸまたはｅＤＲＸスキームを使用して制御チャネルをモニタリングし、前記タイムウィンドウの長さは、専用シグナリングを介してネットワーク側の装置によって設定される。
【０１４０】
オプションとして、タイムウィンドウは、タイマーを使用して具現される。
【０１４１】
オプションとして、スリープモードに入る端末がアップリンクデータを送信する必要があるときに、当該方法では、端末をウェイクアップしてアップリンクデータを送信する。
【０１４２】
オプションとして、当該方法では、さらに、端末がウェイクアップされた後、システム情報を読み取り、
または、システム情報が更新されたときにネットワーク側の装置によって送信されたウェイクアップ信号によってスリープモードの端末がウェイクアップされた後、システム情報を読み取り、スリープモードに入る。
【０１４３】
ここで、図１０において、バスアーキテクチャは、いずれ数の相互接続するバス及びブリッジを備える。具体的に、プロセッサ１０００が代表となる１つまたは複数のプロセッサ及びメモリ１０２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バス無線インターフェイスは無線インターフェイスを提供する。送受信機１０１０は、複数の部品であることができ、即ち、送信機及び受信機を備え、伝送媒体を介して他の装置と通信するユニットを提供する。異なるユーザー設備に対し、ユーザー無線インターフェイス１０３０は、外部接続または内部接続に必要な設備のインターフェースであることもできる。接続する設備は、キーパッド、ディスプレー、スピーカー、マイクロホン、ジョイスティック等を備えるが、これに限られない。
【０１４４】
プロセッサ１０００は、バズアーキテクチャの管理及び通常の処理を担当し、メモリ１０２０はプロセッサ１０００が動作する際に利用するデータを記憶することができる。
【０１４５】
図１１は、基地局の概略構造図であり、図１１に示すように、基地局は、
プログラム命令を格納するためのメモリ１１２０と、
メモリ１１２０に格納されたプログラム命令を読み取り、以下の動作を実行するように構成されているプロセッサ１１００とを備える。
【０１４６】
前記プロセッサ１１００は、タイムウィンドウで、送信すべきページングメッセージおよび／または制御チャネルスケジューリン情報があれば、前記タイムウィンドウで、ＤＲＸまたはｅＤＲＸスキームを使用してページングチャネルおよび／または制御チャネルを介して送信する。送信すべきページングメッセージおよび／または制御チャネルスケジューリン情報がなければ、前記タイムウィンドウで、ＤＲＸまたはｅＤＲＸスキームを使用してページングチャネルおよび／または制御チャネルを介して送信しない。
【０１４７】
オプションとして、当該端末が、当該タイムウィンドウでページングメッセージおよび／または制御チャネルスケジューリン情報を受信しないと、ページングチャネルおよび／または制御チャネルのモニタリングを停止し、スリープモードに入った後にウェイクアップ信号のモニタリングを続ける端末である。
【０１４８】
オプションとして、当該端末は、システム情報またはブロードキャストに従って、ネットワーク側の装置がウェイクアップ信号の送信をサポートしていると判断すると、スリープモードに入る端末であり、または、ネットワークの設定に従ってスリープモードに入る端末である。
【０１４９】
オプションとして、アイドル状態または非アクティブ状態からスリープモードに入る端末が、ウェイクアップ信号の受信時にウェイクアップされた後に、アイドル状態/非アクティブ状態に入るときに、前記タイムウィンドウの長さは、プロトコルによって規定され、ブロードキャスト、または専用シグナリングを介してネットワーク側の装置によって設定される。
【０１５０】
オプションとして、タイムウィンドウは、タイマーを使用して具現されるか、または、Ｎ回のページングメッセージを受信するのに必要とする時間であり、前記Ｎは１以上の整数である。
【０１５１】
オプションとして、接続状態からスリープモードに入る端末が、ウェイクアップ信号の受信時にウェイクアップされた後に接続状態になる場合、前記タイムウィンドウの長さは、専用シグナリングを介してネットワーク側の装置によって設定される。
【０１５２】
オプションとして、タイムウィンドウは、タイマーを使用して具現される。
【０１５３】
オプションとして、プロセッサは、さらに、
システム情報が更新されたときに、ウェイクアップ信号を端末に送信し、スリープモードの端末に、システム情報を読み取るようにする。
【０１５４】
ここで、図１１において、バスアーキテクチャは、いずれ数の相互接続するバス及びブリッジを備える。具体的に、プロセッサ１１００が代表となる１つまたは複数のプロセッサ及びメモリ１１２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バス無線インターフェイスは無線インターフェイスを提供する。送受信機１１１０は、複数の部品であることができ、即ち、送信機及び受信機を備え、伝送媒体を介して他の装置と通信するユニットを提供する。プロセッサ１１００は、バズアーキテクチャの管理及び通常の処理を担当し、メモリ１１２０は、プロセッサ１１００が動作する際に利用するデータを記憶することができる。
【０１５５】
本発明の実施形態によるいずれの、チャネルをモニタリングするための装置は、たとえば、任意種類の端末装置であることができる。
【０１５６】
また、本発明に係る実施例において、ＵＥは、ＭＳ（Ｍｏｂｉｌｅ Ｓｔａｔｉｏｎ）、移動端末（Ｍｏｂｉｌｅ Ｔｅｒｍｉｎａｌ）、ＭＴ（Ｍｏｂｉｌｅ Ｔｅｌｅｐｈｏｎｅ）、携帯（ｈａｎｄｓｅｔ）及び携帯機器（ｐｏｒｔａｂｌｅ ｅｑｕｉｐｍｅｎｔ）を含むが、それに限られない。当該ユーザー設備は、ＲＡＮ（Ｒａｄｉｏ Ａｃｃｅｓｓ Ｎｅｔｗｏｒｋ，ＲＡＮ）を介して１つまたは複数のコアネットワークと通信することができる。例えば、ユーザー設備は、ＭＴ（Ｃｅｌｌｕｌａｒ  ｐｈｏｎｅとも呼ばれる）、無線通信機能を有するコンピュータなどを含むこともできる。ユーザー設備は、携帯式、ポケット式、手持ち式、コンピュータに内蔵されるかまたは、車載の移動装置であることもでき。本発明の実施形態による、いずれの、情報を送信するための装置は、たとえば、任意種類のネットワーク装置、例えば、任意種類の基地局であることができる。
【０１５７】
本発明に係る実施例において、基地局（例えば、接続点）は、ＡＮ（Ａｃｃｅｓｓ  Ｎｅｔｗｏｒｋ）で無線インターフェースにおいて、１つまたは複数のセクターを介して無線端末と通信する設備であることができる。基地局は、受信した無線フレームとＩＰ組み分けを相互に転換して、無線端末とＡＮの他の部分間のルーターとすることができる。ここで、ＡＮの他の部分は、ＩＰネットワークを含むことができる。基地局は、無線インターフェースに対する属性管理を協調することができる。例えば、基地局は、ＧＳＭ(登録商標)またはＣＤＭＡの基地局（Ｂａｓｅ Ｔｒａｎｓｃｅｉｖｅｒ Ｓｔａｔｉｏｎ，ＢＴＳ）であってもよいし、ＷＣＤＭＡ(登録商標)の基地局（ＮｏｄｅＢ）であってもよく、ＬＴＥの進化型基地局（ＮｏｄｅＢまたはｅＮＢまたはｅ-ＮｏｄｅＢ，ｅｖｏｌｕｔｉｏｎａｌ Ｎｏｄｅ Ｂ）または５ＧシステムにおいけるｇＮＢであってもよいが、本発明をそれに限定しない。
【０１５８】
本発明の実施形態は、本発明の実施形態による装置のいずれか１つに対するコンピュータ実行可能命令を格納するように構成されたコンピュータ記憶媒体を提供する。
【０１５９】
前記コンピュータ記憶媒体は、コンピューターにアクセス可能な任意の利用可能な媒体またはデータ記憶装置であり得る。これには、フロッピーディスク、ハードディスク、磁気テープ、または光磁気ディスク（以下「ＭＯ」）ディスクなどの磁気媒体、コンパクトディスク（以下「ＣＤ」など） ））、デジタルバーサタイルディスク（以下「ＤＶＤ」）、Ｂｌｕ−ｒａｙ(登録商標)ディスク（以下「ＢＤ」）、またはホログラフィックバーサタイルディスク（以下「ＨＶＤ」）、または読み取り専用メモリなどの半導体媒体（以下「ＲＯＭ」）、電気的消去可能プログラマブル読み出し専用メモリ（以下「ＥＰＲＯＭ」）、電気的消去可能プログラマブル読み出し専用メモリ（以下「ＥＥＰＲＯＭ」）、不揮発性メモリ（ＮＡＮＤフラッシュなど）、または固体状態ドライブ（以下「ＳＳＤ」）が含まれ、これらに限定されない。
【０１６０】
要約すると、本発明の実施形態による技術的解決策では、ウェイクアップ信号の受信時に端末がウェイクアップした後、タイムウィンドウでＤＲＸまたはｅＤＲＸスキームを使用して、ページング/制御チャネルをモニタリングする。前記タイムウィンドウで、端末がページングメッセージ/制御チャネルスケジューリン情報を受信すると、ページングメッセージを処理しおよび／または制御チャネルスケジューリン情報を処理し、前記タイムウィンドウで、端末がページングメッセージ/制御チャネルスケジューリン情報を受信しないと、ページング/制御チャネルのモニタリングを停止し、ウェイクアップ信号のモニタリングを続ける。
【０１６１】
本発明の実施形態による解決策によれば、ＵＥの電力を節約することができ、ＵＥのサービスにアクセス可能にすることもできる。
【０１６２】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。また、当該製品はコンピュータ使用可能なプログラムコードを含むコンピュータ使用可能な記憶媒体（ディスク記憶装置と光学記憶装置等を含むがそれとは限らない）において実施する。
【０１６３】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０１６４】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０１６５】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【０１６６】
上述した実施形態に記述された技術的な解決手段を改造し、或いはその中の一部の技術要素を置換することもできる。そのような、改造と置換は本発明の各実施形態の技術の範囲から逸脱するとは見なされない。
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【図１】
0006832449.tif 000002
【図２】
0006832449.tif 000003
【図３】
0006832449.tif 000004
【図４】
0006832449.tif 000005
【図５】
0006832449.tif 000006
【図６】
0006832449.tif 000007
【図７】
0006832449.tif 000008
【図８】
0006832449.tif 000009
【図９】
0006832449.tif 000010
【図１０】
0006832449.tif 000011
【図１１】
0006832449.tif 000012